(57)【要約】【課題】子機との親子関係を自動的に親機に設定する。手動設定された親子関係を保護し自動設定と手動設定との両立を図る。【解決手段】子機１から計測データを自己の識別情報を付加して定期的に送信する。親機２に子機データ記憶エリアを自己と親子関係を設定することが可能な子機の最大台数分設ける。親機２は、子機１からの計測データを受信すると、その計測データに付加されている識別情報を読み取り、子機データ記憶エリアに記録されているか否かをチェックする。子機データ記憶エリアに記録されておらず、子機データ記憶エリアに空エリアが残されていれば、その残されている空エリアの１つに子機１からの識別情報、計測データ、通信品質（電波強度）、受信時刻、自動設定済みの情報を記録する。子機データ記憶エリア内の情報の書き替えに際しては自動設定済みのものだけを対象とする。【選択図】  図１
2009246872.tif 000002
【特許請求の範囲】
【請求項１】
無線によってデータを送信する子機と、この子機からの送信データを受信する親機とを備えた無線通信システムにおいて、
前記子機は、
自己の識別情報を付加してデータを定期的に送信するデータ送信手段を備え、
前記親機は、
自己と親子の接続関係が設定された子機の情報の記憶エリアとして、少なくともその子機の識別情報とその子機からの送信データとその子機との親子の接続関係が手動で設定されたのか自動で設定されたのかを示す情報が記録される子機データ記憶エリアを、自己と親子の接続関係を設定することが可能な子機の最大台数分有する子機データ記憶手段と、
前記子機からの送信データを受信するデータ受信手段と、
このデータ受信手段によって受信された前記子機からの送信データに付加されている識別情報を読み取る識別情報読取手段と、
この識別情報読取手段によって読み取られた識別情報が前記子機データ記憶エリアに記録されている識別情報であった場合、その識別情報が記録されている子機データ記憶エリアに前記子機からの送信データを記録する送信データ記録手段と、
前記子機データ記憶手段の子機データ記憶エリアのうち、親子の接続関係が手動で設定されたことを示す情報が設定されているエリアについては、そのエリアへの子機の識別情報の自動設定を禁止する自動設定禁止手段と
を備えることを特徴とする無線通信システム。
【請求項２】
請求項１に記載された無線通信システムにおいて、
前記識別情報読取手段によって読み取られた識別情報が前記子機データ記憶エリアに記録されていない識別情報であり、前記子機データ記憶エリアに未だ子機の情報が記録されていない空エリアが残されていた場合、その残されている空エリアの１つに前記子機からの識別情報と送信データと親子の接続関係が自動で設定されたことを示す情報を記録する親子関係自動記録制御手段
を備えることを特徴とする無線通信システム。
【請求項３】
請求項１に記載された無線通信システムにおいて、
前記識別情報読取手段によって読み取られた識別情報が前記子機データ記憶エリアに記録されていない識別情報であり、前記子機データ記憶エリアに前記空エリアが残されていなかった場合、前記子機データ記憶エリアのうち親子の接続関係が自動で設定されたことを示す情報が記録されている子機データ記憶エリアのみを対象とし、その子機データ記憶エリアのうちの１つを空エリアとして利用可能か否かを所定の重要度を示す情報に基づいて判断し、空エリアとして利用することが可能であると判断した場合、そのエリアに記録されている情報を削除したうえ、前記子機からの識別情報と送信データと親子の接続関係が自動で設定されたことを示す情報を記録する親子関係自動記録制御手段
を備えることを特徴とする無線通信システム。
【請求項４】
請求項１〜３の何れか１項に記載された無線通信システムにおいて、
前記親機は、
前記子機データ記憶エリアに記録されている前記親子の接続関係が自動で設定されたことを示す情報をユーザからの要求に応えて手動で設定されたことを示す情報へ変更する手動設定変更手段
を備えることを特徴とする無線通信システム。
【請求項５】
請求項１〜３の何れか１項に記載された無線通信システムにおいて、
前記親機は、
自己と親子の接続関係の設定を禁止する子機の識別情報を記憶する親子関係禁止子機記憶手段と、
前記識別情報読取手段によって読み取られた識別情報が前記親子関係禁止子機記憶手段に記憶されている識別情報であった場合、その子機との親子の接続関係の設定を禁止する親子関係設定禁止手段と
を備えることを特徴とする無線通信システム。
【請求項６】
請求項３に記載された無線通信システムにおいて、
前記親子関係自動記録制御手段は、
前記所定の重要度を示す情報として、前記送信データの受信時の通信品質を示す情報に基づいて、前記子機データ記憶エリアのうちの１つを空エリアとして利用可能か否かを判断する
ことを特徴とする無線通信システム。
【請求項７】
請求項３に記載された無線通信システムにおいて、
前記親子関係自動記録制御手段は、
前記所定の重要度を示す情報として、前記送信データの送信元の子機の種類を示す情報に基づいて、前記子機データ記憶エリアのうちの１つを空エリアとして利用可能か否かを判断する
ことを特徴とする無線通信システム。
【請求項８】
請求項１〜７の何れか１項に記載された無線通信システムにおいて、
前記親機は、
前記子機データ記憶エリアに前記子機からの送信データを記録する際にその送信データの受信時刻を合わせて記録する受信時刻記憶手段と、
前記子機データ記憶エリアのそれぞれに記録されている送信データの受信時刻を定期的にチェックし、現在までの経過時間が所定時間を超えている受信時刻があった場合、その受信時刻が記録されている子機データ記憶エリア内の情報を削除して空エリアとする親子関係解消手段と
を備えることを特徴とする無線通信システム。
【発明の詳細な説明】
【技術分野】
【０００１】
この発明は、無線によってデータを送信する子機と親機との間の無線通信システムに関するものである。
【背景技術】
【０００２】
従来より、大規模な空間を持つ建物内では、その建物内に空調設備，防犯設備，照明設備など多数の設備が設置されている。そして、これらの設備に対しては、その設備を適切にあるいは効率よく動作させるための制御装置（空調用、防犯用、照明用などの制御装置）が設けられており、それら制御装置が各種制御を実行するうえで必要な情報をセンシングして制御装置に送るセンサも多数設置されている。
【０００３】
以前は、それら設備、制御装置、センサ間は全て有線で接続されていたが、近年、無線通信技術が発達し、配線接続の手間が軽減でき、しかも現場設置後の機器の増設や設置場所の変更に柔軟に対処できるように、特に制御装置とセンサ間を無線で接続する方式（無線通信方式）が急速に普及してきている。
【０００４】
大規模な空間を持つ建物内で、上述したような無線通信方式を採用すると、無線センサのセンシング情報を受信する受信機である無線制御装置と、センシング情報を無線制御装置に送信する送信機である無線センサがそれぞれ多数混在することになるので、運用前に、互いに送受信する無線制御装置と無線センサとを定め、その無線制御装置と無線センサとの間に親子の接続関係（以下、親子関係とも呼ぶ）を決めておく必要がある。すなわち、無線制御装置を親機、無線センサを子機とし、互いに送受信する親機と子機との接続関係を決めておく必要がある。
【０００５】
なお、親機は１台の子機とだけ親子関係を設定することも、複数台の子機と並列的に親子関係を設定することも可能であるが、自己と親子関係を設定することが可能な子機の最大台数は予め定められている。
【０００６】
従来、親機と子機との間の親子関係の設定作業は、人手に頼っており、現場に多数の親機および子機が存在すると親子関係の設定・変更作業が煩わしく、また人為的なミスにより誤って親子関係の設定・変更を行ってしまう場合も多々あった。
【０００７】
また、一度、親子関係を設定すると、再設定しない限り、その親子関係が維持されてしまう。このため、例えば、親子関係を設定された子機が故障して通信不能となったり、子機が通信圏外に持ち運ばれたり、親機と子機との間に通信障害物が置かれて通信不能となり、そのような通信不能の親子関係の設定が放置されると、親子関係を設定可能な子機の台数の余裕が減少し、後に子機が増設されることになったような場合に支障が生じる。
【０００８】
これに対して、特許文献１では、子機に、親機を指定する親機指定手段と、テスト開始を指示するテスト開始手段と、テスト開始が指示された場合、親機指定手段によって指定された親機をテスト対象とし、このテスト対象に対して通信テストを行う通信手段と、通信テストの結果が良好であった場合、その通信テストのテスト対象である親機を接続先とする親子関係の変更を自動的に行う手段とを設けるようにしている。これにより、親子関係の設定・変更作業が簡単となる。
【０００９】
【特許文献１】特開２００４−３５７２５４号公報
【発明の開示】
【発明が解決しようとする課題】
【００１０】
しかしながら、上述した特許文献１に示された方式では、子機の親機指定手段とテスト開始手段をユーザが操作しなければ、親子関係を設定・変更することができない。すなわち、特許文献１に示された方式は、半自動方式であって、完全な自動方式とは言えず、ユーザにとっての煩わしさが依然として残っている。
【００１１】
また、上述した特許文献１に示された方式では、親子関係を設定した親機と子機との間で通信不能な状態になっていることをユーザが気づかないと、そのまま通信不能の親子関係の設定が放置されてしまい、親子関係を設定可能な子機の台数の余裕が減少するという問題は解消されていない。
【００１２】
また、予め親子関係を設定すべき親機と子機があって手動設定しておいたものが、通信テストの結果、それぞれ別の親機、子機と親子関係が結ばれる可能性がある。
また、親子関係を結んではならない親機と子機が近くにあった場合に、通信テストの結果、親子関係が結ばれてしまう可能性がある。
【００１３】
本発明は、このような課題を解決するためになされたもので、その目的とするところは、手動設定された親子関係についてはそれを保護したうえ、ユーザの手を煩わせることなく、子機との親子関係を自動的に親機に設定すること可能な無線通信システムを提供することにある。
また、手動設定された親子関係についてはそれを保護したうえ、ユーザの手を煩わせることなく、子機との親子関係を自動的に親機に設定すること可能で、かつ親子関係を設定可能な子機の台数の余裕が減少するという問題も解消することができる無線通信システムを提供することにある。
【課題を解決するための手段】
【００１４】
このような目的を達成するために本発明は、無線によってデータを送信する子機と、この子機からの送信データを受信する親機とを備えた無線通信システムにおいて、子機に、自己の識別情報を付加してデータを定期的に送信するデータ送信手段を設け、親機に、自己と親子の接続関係（親子関係）が設定された子機の情報の記憶エリアとして、少なくともその子機の識別情報とその子機からの送信データとその子機との親子関係が手動で設定されたのか自動で設定されたのかを示す情報が記録される子機データ記憶エリアを、自己と親子関係を設定することが可能な子機の最大台数分有する子機データ記憶手段と、子機からの送信データを受信するデータ受信手段と、このデータ受信手段によって受信された子機からの送信データに付加されている識別情報を読み取る識別情報読取手段と、この識別情報読取手段によって読み取られた識別情報が子機データ記憶エリアに記録されている識別情報であった場合、その識別情報が記録されている子機データ記憶エリアに子機からの送信データを記録する送信データ記録手段と、子機データ記憶手段の子機データ記憶エリアのうち、親子の接続関係が手動で設定されたことを示す情報が設定されているエリアについては、そのエリアへの子機の識別情報の自動設定を禁止する自動設定禁止手段とを設けたものである。
【００１５】
この発明において、親機には、自己と親子関係を設定することが可能な子機の最大台数分の子機データ記憶エリアを有する子機データ記憶手段が設けられる。例えば、自己と親子関係を設定することが可能な子機の最大台数を２台とした場合、子機データ記憶手段は２つの子機データ記憶エリアＡＲ１，ＡＲ２を有することになる。初期状態（例えば、工場出荷状態）において、子機データ記憶エリアＡＲ１，ＡＲ２は、未だ子機の情報が記録されていない空エリアとされている。
【００１６】
この無線通信システムにおいて、ユーザは、子機との親子関係を親機に手動で設定する場合、その親機の空エリアとされている子機データ記憶エリアに、親子関係が手動で設定されたことを示す情報（手動設定済みの情報）と合わせてその子機の識別情報を記録する。例えば、親機Ｐ１の子機データ記憶部の空エリアとされている子機データ記憶エリアＣＡＲ１に、親子関係が手動で設定されたことを示す情報と合わせて、子機Ｃ１の識別情報＃Ｃ１を記録する。
【００１７】
現場に設置された状態において、子機Ｃ１は定期的にデータＤ１を送信する。この場合、親機Ｐ１は、子機Ｃ１からの送信データＤ１に付加されている識別情報＃Ｃ１を読み取り、子機データ記憶エリアＡＲ１に識別情報＃Ｃ１が記録されていることを確認し、この識別情報＃Ｃ１が記録されている子機データ記憶エリアＡＲ１に子機Ｃ１からの送信データＤ１を記録する。
【００１８】
本発明では、子機データ記憶手段の子機データ記憶エリアのうち、親子の接続関係が手動で設定されたことを示す情報が設定されているエリアについては、そのエリアへの子機の識別情報の自動設定を禁止する。
【００１９】
例えば、識別情報読取手段によって読み取られた識別情報が子機データ記憶エリアに記録されていない識別情報であり、子機データ記憶エリアに未だ子機の情報が記録されていない空エリアが残されていた場合、その残されている空エリアの１つに子機からの識別情報と送信データと親子の接続関係が自動で設定されたことを示す情報を記録するようにし、親子の接続関係が手動で設定されたことを示す情報が設定されているエリアについてはその自動設定による識別情報の変更を許可するが、親子の接続関係が手動で設定されたことを示す情報が設定されているエリアについては、そのエリアへの自動設定による識別情報の変更を禁止する。
【００２０】
また、識別情報読取手段によって読み取られた識別情報が子機データ記憶エリアに記録されていない識別情報であり、子機データ記憶エリアに空エリアが残されていなかった場合、子機データ記憶エリアのうち親子の接続関係が自動で設定されたことを示す情報が記録されている子機データ記憶エリアのみを対象とし、その子機データ記憶エリアのうちの１つを空エリアとして利用可能か否かを所定の重要度を示す情報に基づいて判断し、空エリアとして利用することが可能であると判断した場合、そのエリアに記録されている情報を削除したうえ、子機からの識別情報と送信データと親子の接続関係が自動で設定されたことを示す情報を記録するようにし、親子の接続関係が手動で設定されたことを示す情報が設定されているエリアについてはその自動設定による識別情報の変更を許可するが、親子の接続関係が手動で設定されたことを示す情報が設定されているエリアについては、そのエリアへの自動設定による識別情報の変更を禁止する。
【００２１】
このようにして、本発明では、手動設定された親子関係についてはそれを保護したうえ、重複ＮＧの関係を守りながら、ユーザの手を煩わせることなく、手動設定された分も含めて自己と親子関係を設定することが可能な子機の最大台数まで、子機との親子関係が自動的に親機に設定されるものとなる。また、本発明において、子機は送信機能があればよく、子機での親子関係の設定操作は不要であるので、子機での電力消費を低減することもできる。
【００２２】
なお、本発明において、親機に、子機データ記憶エリアに記録されている親子関係が自動で設定されたことを示す情報をユーザからの要求に応えて手動で設定されたことを示す情報へ変更する手動設定変更手段を設けるようにしてもよい。このような手段を設けることにより、必要に応じて、自動設定された親子関係を手動設定された親子関係に変更して、その親子関係の保護を図ることができるようになる。
【００２３】
また、本発明において、親機に、自己との親子の接続関係の設定を禁止する子機の識別情報を記憶する親子関係禁止子機記憶手段を設け、子機からのデータに付加されていた識別情報が親子関係禁止子機記憶手段に記憶されている識別情報であった場合、その子機との親子の接続関係の設定を禁止するようにしてもよい。このようにすることにより、親子関係の設定が禁止されている子機との親子関係の設定を回避しつつ、自動的に子機との親子関係を設定することができるようになる。
【００２４】
また、本発明において、所定の重要度を示す情報は、子機からの送信データの受信時の通信品質を示す情報としたり、子機からの送信データの送信元の子機の種類を示す情報としたりすることが考えられる。例えば、送信元の子機の種類によって優先度を定め、優先度の高い子機からの送信データを受けた場合、それよりも優先度の低い子機の情報が記録されている子機データ記憶エリアを空とし、この空エリアに優先度の高い子機の情報を記録するようにする。また、所定の重要度を示す情報として、前優先とするか後優先とするかの情報を設定しておくようにしてもよい。
【００２５】
また、本発明において、子機データ記憶エリアに子機からの送信データを記録する際にその送信データの受信時刻を合わせて記録するようにし、子機データ記憶エリアのそれぞれに記録されている送信データの受信時刻を定期的にチェックし、現在までの経過時間が所定時間を超えている受信時刻があった場合、その受信時刻が記録されている子機データ記憶エリア内の情報を削除して空エリアとするようにしてもよい。このようにすると、親子関係が設定された子機と親機との間で通信不能となった場合、その親子関係が自動的に解消され、通信不能となった子機との親子関係が親機に残ることがないようにすることができる。
【発明の効果】
【００２６】
本発明によれば、子機に、自己の識別情報を付加してデータを定期的に送信するデータ送信手段を設け、親機に、自己と親子関係を設定することが可能な子機の最大台数分の子機データ記憶エリア（少なくともその子機の識別情報とその子機からの送信データとその子機との親子関係が手動で設定されたのか自動で設定されたのかを示す情報が記録されるエリア）を有する子機データ記憶手段と、子機からの送信データに付加されている識別情報を読み取り、この読み取った識別情報が子機データ記憶エリアに記録されている識別情報であった場合、その識別情報が記録されている子機データ記憶エリアに子機からの送信データを記録する送信データ記録手段と、子機データ記憶手段の子機データ記憶エリアのうち、親子の接続関係が手動で設定されたことを示す情報が設定されているエリアについては、そのエリアへの子機の識別情報の自動設定を禁止する自動設定禁止手段とを設けたので、手動設定された親子関係についてはそれを保護したうえ、ユーザの手を煩わせることなく、手動設定された分も含めて自己と親子関係を設定することが可能な子機の最大台数まで、子機との親子関係を自動的に親機に設定させることができるようになる。
【００２７】
また、本発明によれば、親機において、識別情報読取手段によって読み取られた識別情報が子機データ記憶エリアに記録されていない識別情報であり、子機データ記憶エリアに空エリアが残されていなかった場合、子機データ記憶エリアのうち親子の接続関係が自動で設定されたことを示す情報が記録されている子機データ記憶エリアのみを対象とし、その子機データ記憶エリアのうちの１つを空エリアとして利用可能か否かを所定の重要度を示す情報に基づいて判断し、空エリアとして利用することが可能であると判断した場合、そのエリアに記録されている情報を削除したうえ、子機からの識別情報と送信データと親子の接続関係が自動で設定されたことを示す情報を記録するようにしたので、子機データ記憶部のの子機データ記憶エリアに空エリアが残されていなかったような場合、例えば、通信品質が低い他の子機との親子関係を自動的に解消し、通信品質がより高い子機との親子関係を自動的に設定することができるようになる。
【００２８】
また、本発明によれば、子機データ記憶エリアに子機からの送信データを記録する際にその送信データの受信時刻を合わせて記録するようにし、子機データ記憶エリアのそれぞれに記録されている送信データの受信時刻を定期的にチェックし、現在までの経過時間が所定時間を超えている受信時刻があった場合、その受信時刻が記録されている子機データ記憶エリア内の情報を削除して空エリアとすることにより、親子関係が設定された子機と親機との間で通信不能となった場合、その親子関係を自動的に解消し、通信不能となった子機との親子関係が親機に残ることがないようにすることができ、親子関係を設定可能な子機の台数の余裕が減少するという問題を解消し、新たな子機と親子関係を設定する機会を確保することができるようになる。
【発明を実施するための最良の形態】
【００２９】
以下、本発明を図面に基づいて詳細に説明する。図１はこの発明に係る無線通信システムの一実施の形態の要部を示す図である。
【００３０】
同図において、１（１−１，１−２，１−３）は子機、２（２−１，２−２，２−３）は親機、３は手動親子関係設定器（ＭＭＩ）である。子機１−１，１−２，１−３には自己の識別情報として＃Ｃ１，＃Ｃ２，＃Ｃ３が設定されている。親機２−１，２−２，２−３には自己の識別情報として＃Ｐ１，＃Ｐ２，＃Ｐ３が設定されている。
【００３１】
この無線通信システムにおいて、子機１は、同時に複数の親機２と親子関係を結ぶことができるものとする。すなわち、子機１−１は親機２−１と親子関係を結べるだけではなく、親機２−２や親機２−３とも同時に親子関係を結ぶことができるものとする。子機１−２，１−３も同様である。以下、この関係を「重複ＯＫ」の関係にあると呼び、図１に示した無線通信システムを「重複ＯＫの無線通信システム」と呼ぶ。
【００３２】
この重複ＯＫの無線通信システムにおいて、子機１は温度センサや湿度センサなどの無線センサであり、その計測データを自己の識別情報を付加して定期的に送信するデータ送信機能を有している。
【００３３】
図２に子機１の概略構成を示す。子機１は、ＣＰＵ１Ａと、ＲＯＭ１Ｂと、センシング部１Ｃと、通信制御部１Ｄと、送信部１Ｅと、子機ＩＤ記憶部１Ｆとを備えている。子機１の識別情報は子機ＩＤとして子機ＩＤ記憶部１Ｆに記憶されている。ＣＰＵ１ＡはＲＯＭ１Ｂに格納されているプログラムに従って動作する。
【００３４】
この重複ＯＫの無線通信システムにおいて、親機２は空調用や防犯用などの無線制御装置であり、子機１からの送信データを受信するデータ受信機能を有している。
【００３５】
図３に親機２の概略構成を示す。親機２は、ＣＰＵ２Ａと、ＲＯＭ２Ｂと、通信制御部２Ｃと、送信部２Ｄと、受信部２Ｅと、親機ＩＤ記憶部２Ｆと、子機データ記憶部２Ｇと、親子関係禁止子機ＩＤ記憶部２Ｈとを備えている。親機２の識別情報は親機ＩＤとして親機ＩＤ記憶部２Ｆに記憶されている。親子関係禁止子機ＩＤ記憶部２Ｈには、自己と親子関係の設定を禁止する子機の識別情報が親子関係禁止子機ＩＤとして記憶される。ＣＰＵ２ＡはＲＯＭ２Ｂに格納されているプログラムに従って動作する。
【００３６】
親機２において、子機データ記憶部２Ｇは、自己と親子関係が設定された子機の情報の記憶エリアとして、子機の識別情報（子機ＩＤ）と、その子機からの計測データと、その計測データの受信時の通信品質（電波強度）と、その計測データの受信時刻と、その子機との親子関係が手動で設定されたのか自動で設定されたのかを示す情報（手動設定済みの情報／自動設定済みの情報）が１セットとして記録される子機データ記憶エリアＡＲを有している。
【００３７】
子機データ記憶エリアＡＲの数は自己と親子関係を設定することが可能な子機の最大台数Ｎに対応している。この例において、自己と親子関係を設定することが可能な子機の最大台数ＮはＮ＝２とされ、これに対応して子機データ記憶エリアＡＲはＡＲ１とＡＲ２の２つとされている。また、子機データ記憶エリアＡＲ１，ＡＲ２は、初期状態（工場出荷状態）において、未だ子機の情報が記録されていない空エリアとされている。
【００３８】
この重複ＯＫの無線通信システムにおいて、手動親子関係設定器３は、ユーザが持ち運び可能なマンマシンインタフェースであり、親機２との間でデータを送受信するデータ送受信機能を有している。手動親子関係設定器３と任意の親機２との間は着脱可能に有線で接続することができる。
【００３９】
図４に手動親子関係設定器３の概略構成を示す。手動親子関係設定器３は、ＣＰＵ３Ａと、ＲＯＭ３Ｂと、ＲＡＭ３Ｃと、ディスプレイ３Ｄと、キー入力部３Ｅと、インタフェース３Ｆ〜３Ｈとを備えている。ＣＰＵ３ＡはＲＯＭ３Ｂに格納されているプログラムに従って動作する。
【００４０】
図５に子機１の要部の機能ブロック図を示す。子機１は、自己の識別情報（子機ＩＤ）を記憶する識別情報記憶部１０Ａと、自己の識別情報を付加して計測データを定期的に送信するデータ送信部１０Ｂとを備えている。データ送信部１０ＢはＣＰＵ１Ａ（図２）の処理機能として実現される。
【００４１】
図６に親機２の要部の機能ブロック図を示す。親機２は、子機データ記憶エリアＡＲ（手動設定済み／自動設定済みの情報、子機ＩＤ、計測データ、計測データの受信時の通信品質、計測データの受信時刻が記録されるエリア）を自己と親子関係を設定することが可能な子機の最大台数Ｎ分有する子機データ記憶部２０Ａと、子機からの計測データを受信するデータ受信部２０Ｂと、このデータ受信部２０Ｂによって受信された子機からの計測データに付加されている子機ＩＤを読み取る識別情報読取部２０Ｃとを備えている。
【００４２】
また、親機２は、子機データ記憶部２０Ａへの子機の情報（親子関係の情報）の記録を制御する親子関係記録制御部２０Ｄを備えている。親子関係記録制御部２０Ｄは、識別情報読取部２０Ｃによって読み取られた子機ＩＤが子機データ記憶エリアＡＲに記録されていない子機ＩＤであり、子機データ記憶エリアＡＲに未だ子機の情報が記録されていない空エリアが残されていた場合、その残されている空エリアの１つに子機からの子機ＩＤ、計測データ、計測データの受信時の通信品質、計測データの受信時刻、自動設定済みの情報を記録する第１の親子関係自動記録制御部２０Ｄ１と、識別情報読取部２０Ｃによって読み取られた子機ＩＤが子機データ記憶エリアＡＲに記録されていない子機ＩＤであり、子機データ記憶エリアＡＲに空エリアが残されていなかった場合、子機データ記憶エリアＡＲのうちの１つを空エリアとして利用可能か否かを計測データの通信品質に基づいて判断し、空エリアとして利用することが可能であると判断した場合、そのエリアに記録されている情報を削除したうえ、子機からの子機ＩＤ、子機からの計測データ、計測データ受信時の通信品質、計測データの受信時刻、自動設定済みの情報を記録する第２の親子関係自動記録制御部２０Ｄ２とを備えている。
【００４３】
また、親機２は、識別情報読取部２０Ｃによって読み取られた子機ＩＤが子機データ記憶エリアＡＲに記録されている子機ＩＤであった場合、その子機ＩＤが記録されている子機データ記憶エリアＡＲに子機からの計測データ、計測データの受信時の通品品質、計測データの受信時刻を記録する計測データ記録部２０Ｅと、子機データ記憶エリアＡＲのそれぞれに記録されている計測データの受信時刻を定期的にチェックし、現在までの経過時間が所定時間を超えている受信時刻があった場合、その受信時刻が記録されている子機データ記憶エリアＡＲ内の情報を削除して空エリアとする親子関係解消部２０Ｆと、親子関係禁止子機ＩＤ記憶部２０Ｇと、手動親子関係設定器３からの設定情報（手動設定された子機情報および親子関係禁止子機ＩＤ）を受信し、手動設定された子機情報については子機データ記憶部２０Ａに書き込み、親子関係禁止子機ＩＤについては親子関係禁止子機ＩＤ記憶部２０Ｇに格納する手動設定情報記録制御部２０Ｈと、識別情報読取部２０Ｃによって読み取られた子機ＩＤが親子関係禁止子機ＩＤ記憶部２０Ｇに記録されている親子関係禁止子機ＩＤであった場合に親子関係記録制御部２０Ｄによる子機データ記憶部２０Ａの子機データ記憶エリアＡＲへの親子関係の設定を禁止する親子関係設定禁止部２０Ｉとを備えている。
【００４４】
子機データ記憶部２０Ａにおいて、手動設定情報記録制御部３０Ｈによってその子機情報が書き込まれた子機データ記憶エリアＡＲ、すなわち子機データ記憶部２０Ａの子機データ記憶記憶エリアＡＲのうち手動設定済みの情報が書き込まれたエリアについては、そのエリアへの子機ＩＤの自動設定が禁止される。この手動設定情報記録制御部２０Ｈの子機データ記憶エリアＡＲへの自動設定を禁止する機能が本発明でいう自動設定禁止手段に対応する。
【００４５】
この親機２において、識別情報読取部２０Ｃ、親子関係記録制御部２０Ｄ（第１の親子関係自動記録制御部２０Ｄ１、第２の親子関係自動記録制御部２０Ｄ２）、計測データ記録部２０Ｅ、親子関係解消部２０Ｆ、手動設定情報記録制御部２０Ｈおよび親子関係設定禁止部２０ＩはＣＰＵ２Ａ（図３）の処理機能として実現される。
【００４６】
以下、この無線通信システムにおける本実施の形態特有の動作について、図７，図８，図１０および図１９に示すフローチャートを参照しながら、各種のケースを例にとって説明する。
【００４７】
なお、図７は手動親子関係設定器３のＣＰＵ３Ａが実行する処理動作を示すフローチャート、図８は子機１のＣＰＵ１Ａが実行する処理動作を示すフローチャート、図１０は親機２のＣＰＵ２Ａが実行する子機からの計測データ受信時の処理動作を示すフローチャート、図１９は親機２のＣＰＵ２Ａが定期的に実行する親子関係の自動解消を行うための処理動作を示すフローチャートである。
【００４８】
〔ケース１：親機２−１への子機１−１の手動設定〕
ユーザは、任意の親機２に対して、任意の子機１との親子関係を手動によって設定することができる。例えば、図１において、親機２−１に対して子機１−１との親子関係を手動で設定したい場合、ユーザは手動親子関係設定器３を親機２−１に接続する。そして、手動親子関係設定器３から接続先の親機２−１に対して、子機情報および親子関係禁止子機ＩＤの読出指令を送る（図７：ステップＳ１０１）。
【００４９】
親機２−１は、この手動親子関係設定器３からの子機情報および親子関係禁止子機ＩＤの読出指令を受けて、子機データ記憶部２Ｇに記録されている子機情報および親子関係禁止子機ＩＤ記憶部２Ｈに記憶されている親子関係禁止子機ＩＤを手動親子関係設定器３へ返送する。
【００５０】
この例において、子機データ記憶部２Ｇにおける子機データ記憶エリアＡＲ１，ＡＲ２は、未だ子機の情報が記録されていない空エリアであるとする。また、親子関係禁止子機ＩＤ記憶部２Ｈには、親子関係禁止子機ＩＤが未だ設定されていないものとする。なお、親子関係禁止子機ＩＤ記憶部２Ｈには、工場出荷段階で親子関係禁止子機ＩＤが設定されている場合もある。
【００５１】
手動親子関係設定器３のＣＰＵ３Ａは、親機２−１から子機情報および親子関係禁止子機ＩＤが送られてくると（ステップＳ１０２のＹＥＳ）、この親機２−１から送られてきた子機情報および親子関係禁止子機ＩＤをディスプレイ３Ｄに表示する（ステップＳ１０３）。
【００５２】
この場合、親機２−１の子機データ記憶部２Ｇにおける子機データ記憶エリアＡＲ１，ＡＲ２は空エリアとされ、親子関係禁止子機ＩＤ記憶部２Ｈには親子関係禁止子機ＩＤが未だ設定されていないので、手動親子関係設定器３のディスプレイ３Ｄにはその子機情報および親子関係禁止子機ＩＤの表示欄が空白として表示される。
【００５３】
ここで、ユーザは、手動親子関係設定器３のディスプレイ３Ｄに表示されている子機情報の表示欄に、親機２−１に対して親子関係を設定したい子機１−１の子機ＩＤ＃Ｃ１を入力する（ステップＳ１０４）。
【００５４】
すると、手動親子関係設定器３のＣＰＵ３Ａは、指定された子機１−１の子機ＩＤ＃Ｃ１を親機２−１から送られてきた子機情報に書き込み、手動設定済みとする（ステップＳ１０５）。ここでは、子機データ記憶エリアＡＲ１に対応する子機情報に対し、子機ＩＤ＃Ｃ１を書き込み、手動設定済みとする。
【００５５】
また、ユーザは、親機２−１に対して親子関係を禁止する子機を設定したい場合、手動親子関係設定器３のディスプレイ３Ｄに表示されている親子関係禁止子機ＩＤの表示欄に、親機２−１に対して親子関係の設定を禁止したい子機の子機ＩＤを入力する。
【００５６】
例えば、親機２−１に子機１−４（図１７参照）との親子関係の設定を禁止したい場合、子機１−４の子機ＩＤ＃Ｃ４を親子関係禁止子機ＩＤの表示欄に入力する（ステップＳ１０４）。
【００５７】
すると、手動親子関係設定器３のＣＰＵ３Ａは、指定された子機１−４の子機ＩＤ＃Ｃ４を親子関係禁止子機ＩＤとして、親機２−１から送られてきた親子関係禁止子機ＩＤの情報に書き込む（ステップＳ１０８）。
【００５８】
手動親子関係設定器３のＣＰＵ３Ａは、ステップＳ１０４での手動設定が完了すると（ステップＳ１０９のＹＥＳ）、手動設定が完了された子機情報（子機ＩＤ＃Ｃ１、手動設定済み）と親子関係禁止子機ＩＤ（子機ＩＤ＃Ｃ４）を接続先の親機２−１へ送信する（ステップＳ１１０）。
【００５９】
手動親子関係設定器３からの子機情報および親子関係禁止子機ＩＤを受けて、接続先の親機２−１のＣＰＵ２Ａは、子機情報を子機データ記憶部２Ｇに書き込み、親子関係禁止子機ＩＤを親子関係禁止子機ＩＤ記憶部２Ｈに書き込む。これにより、親機２−１に、子機１−１との親子関係が設定（手動設定）されたことになる。また、親機２−１に、親子関係禁止子機ＩＤが設定（手動設定）されたことになる。
【００６０】
〔ケース２：親子関係が手動設定された親機２−１と子機１−１との間の通信〕
子機１−１のＣＰＵ１Ａは、電源がオンとされると（図８：ステップＳ２０１のＹＥＳ）、センシング部１Ｃからの計測データＤ１を取り込み（ステップＳ２０２）、この計測データＤ１に自己の子機ＩＤ＃Ｃ１を付加して送信する（ステップＳ２０３）。そして、所定時間の経過を待って（ステップＳ２０４のＹＥＳ）、センシング部１Ｃから次の計測データＤ１を取り込み（ステップＳ２０２）、この計測データＤ１に自己の子機ＩＤ＃Ｃ１を付加して送信する（ステップＳ２０３）。子機１−１のＣＰＵ１Ａは、この動作を繰り返すことにより、自己の子機ＩＤ＃Ｃ１が付加された計測データＤ１を定期的に送信する（図９参照）。
【００６１】
図９において、親機２−１のＣＰＵ２Ａは、子機１−１からの計測データＤ１を受信すると（図１０：ステップＳ３０１のＹＥＳ）、その計測データＤ１の受信時刻と通信品質を計測する（ステップＳ３０２）。この例では、計測データＤ１の受信時の電波強度を通信品質として計測する。また、その計測データＤ１に付加されている子機ＩＤ＃Ｃ１を読み取り（ステップＳ３０３）、この読み取った子機ＩＤ＃Ｃ１が子機データ記憶部２Ｇに記録されているか否かをチェックする（ステップＳ３０４）。
【００６２】
この場合、子機ＩＤ＃Ｃ１は、手動親子関係設定器３を用いた手動設定によって、子機データ記憶部２Ｇの子機データ記憶エリアＡＲ１に記録されている。このため、親機２−１のＣＰＵ２Ａは、ステップＳ３０４のＹＥＳに応じてステップＳ３０８へ進み、子機ＩＤ＃Ｃ１が記録されている子機データ記憶エリアＡＲ１に、ステップＳ３０１で受信した計測データＤ１とステップＳ３０２で計測した計測データＤ１の受信時刻と通信品質を記録する（図１１（ａ）参照）。
【００６３】
以下、同様にして、親機２−１のＣＰＵ２Ａは、子機１−１からの計測データＤ１を受信する毎に、子機データ記憶部２Ｇの子機データ記憶エリアＡＲ１に計測データＤ１と計測データＤ１の受信時刻と通信品質を記録する（上書きする）。
【００６４】
〔ケース３：親機２−２への子機１−２の自動設定〕
図９において、子機１−２のＣＰＵ１Ａは、電源がオンとされると（図４：ステップＳ２０１のＹＥＳ）、センシング部１Ｃからの計測データＤ２を取り込み（ステップＳ２０２）、この計測データＤ２に自己の子機ＩＤ＃Ｃ２を付加して送信する（ステップＳ２０３）。そして、所定時間の経過を待って（ステップＳ２０４のＹＥＳ）、センシング部１Ｃから次の計測データＤ２を取り込み（ステップＳ２０２）、この計測データＤ２に自己の子機ＩＤ＃Ｃ２を付加して送信する（ステップＳ２０３）。子機１−２のＣＰＵ１Ａは、この動作を繰り返すことにより、自己の子機ＩＤ＃Ｃ２が付加された計測データＤ２を定期的に送信する。
【００６５】
図９において、親機２−２のＣＰＵ２Ａは、子機１−２からの計測データＤ２を受信すると（図１０：ステップＳ３０１のＹＥＳ）、その計測データＤ２の受信時刻と通信品質（電波強度）を計測する（ステップＳ３０２）。また、その計測データＤ２に付加されている子機ＩＤ＃Ｃ２を読み取り（ステップＳ３０３）、この読み取った子機ＩＤ＃Ｃ２が子機データ記憶部２Ｇに記録されているか否かをチェックする（ステップＳ３０４）。
【００６６】
この場合、子機データ記憶部２Ｇの子機データ記憶エリアＡＲ１，ＡＲ２は空エリア（未だ子機の情報が記録されていない状態）とされており、子機データ記憶エリアＡＲ１，ＡＲ２の何れにも子機ＩＤ＃Ｃ２は記録されていない。このため、親機２−２のＣＰＵ２Ａは、ステップＳ３０４のＮＯに応じてステップＳ３０５へ進む。
【００６７】
ステップＳ３０５において、親機２−２のＣＰＵ２Ａは、子機ＩＤ＃Ｃ２が親子関係禁止子機ＩＤ記録部２Ｈに親子関係禁止子機ＩＤとして設定されていないかどうかをチェックする。ここで、子機ＩＤ＃Ｃ２が親子関係禁止子機ＩＤとして設定されていれば（ステップＳ３０５のＹＥＳ）、ステップＳ３０１への処理へ戻る。この例において、子機ＩＤ＃Ｃ２は親子関係禁止子機ＩＤとして設定されていないものとする。この場合、ステップＳ３０５のＮＯに応じて、ステップＳ３０６へ進む。
【００６８】
ステップＳ３０６において、親機２−２のＣＰＵ２Ａは、子機データ記憶部２Ｇに空エリアがあるか否かをチェックする。この場合、空エリアがあるので、ステップＳ３０６のＹＥＳに応じてステップＳ３０７へ進む。ステップＳ３０７において、親機２−２のＣＰＵ２Ａは、子機データ記憶部２Ｇの空エリアにステップＳ３０３で読み取った子機ＩＤ＃Ｃ２を記録し、自動設定済みとする。
【００６９】
この例では、子機データ記憶エリアＡＲ１，ＡＲ２が空エリアとされているので、その何れか一方に子機ＩＤ＃Ｃ２を記録する。ここでは、子機データ記憶エリアＡＲ１に子機ＩＤ＃Ｃ２を記録し、自動設定済みとするものとする。
【００７０】
そして、この子機ＩＤ＃Ｃ２を記録した子機データ記憶エリアＡＲ１に、ステップＳ３０１で受信した計測データＤ２とステップＳ３０２で計測した計測データＤ２の受信時刻と通信品質を記録する（ステップＳ３０８、図１１（ｂ）参照）。これにより、親機２−２に、子機１−２との親子関係が自動的に設定されたことになる。
【００７１】
子機１−２は、その後も、定期的に計測データＤ２を送信する。親機２−２は、子機１−２からの計測データＤ２を受信すると（ステップＳ３０１のＹＥＳ）、その計測データの受信時刻と通信品質（電波強度）を計測する（ステップＳ３０２）。また、その計測データに付加されている子機ＩＤ＃Ｃ２を読み取り（ステップＳ３０３）、この読み取った子機ＩＤ＃Ｃ２が子機データ記憶部２Ｇに記録されているか否かをチェックする（ステップＳ３０４）。
【００７２】
この場合、子機ＩＤ＃Ｃ２は、子機データ記憶部２Ｇの子機データ記憶エリアＡＲ１に記録されている。このため、親機２−２のＣＰＵ２Ａは、ステップＳ３０４のＹＥＳに応じてステップＳ３０８へ進み、子機ＩＤ＃Ｃ２が記録されている子機データ記憶エリアＡＲ１に、ステップＳ３０１で受信した計測データＤ２とステップＳ３０２で計測した計測データＤ２の受信時刻と通信品質を記録する（上書きする）。
【００７３】
以下、同様にして、親機２−２のＣＰＵ２Ａは、子機１−２からの計測データＤ２を受信する毎に、子機データ記憶部２Ｇの子機データ記憶エリアＡＲ１に計測データＤ２と計測データＤ２の受信時刻と通信品質を記録する（上書きする）。
【００７４】
〔ケース４：親機２−３への子機１−３の自動設定〕
上述した親機２−２への子機１−２の自動設定と同様にして、親機２−３への子機１−３の自動設定も行われる。
【００７５】
この場合、親機２−２の子機データ記憶部２Ｇには、図１１（ｃ）に示すように、その子機データ記憶エリアＡＲ１に子機１−３の子機情報（自動設定済みの情報、子機ＩＤ＃Ｃ３、計測データＤ３、通信品質、受信時刻）が記録される。これにより、親機２−３に、子機１−３との親子関係が自動的に設定されたことになる。
【００７６】
〔ケース５：親機２−１への子機１−２の自動設定〕
今、親機２−１への子機１−１の手動設定、親機２−２への子機１−２の自動設定、親機２−３への子機１−３の自動設定が行われた状態で、子機１−２からの計測データＤ２が親機２−１において受信されたとする（図１２参照）。
【００７７】
この場合、親機２−１のＣＰＵ２Ａは、子機１−２からの計測データＤ２を受信すると（図１０：ステップＳ３０１のＹＥＳ）、その計測データＤ２の受信時刻と通信品質（電波強度）を計測する（ステップＳ３０２）。また、その計測データＤ２に付加されている子機ＩＤ＃Ｃ２を読み取り（ステップＳ３０３）、この読み取った子機ＩＤ＃Ｃ２が子機データ記憶部２Ｇに記録されているか否かをチェックする（ステップＳ３０４）。
【００７８】
この場合、子機データ記憶部２Ｇの子機データ記憶エリアＡＲ１には子機１−１の子機情報が記録されており、子機データ記憶エリアＡＲ２は空エリアとされている。したがって、親機２−１のＣＰＵ２Ａは、子機データ記憶部２Ｇに子機ＩＤ＃Ｃ２は記録されていないと判断し（ステップＳ３０４のＮＯ）、ステップＳ３０５へ進む。
【００７９】
ステップＳ３０５において、親機２−１のＣＰＵ２Ａは、子機ＩＤ＃Ｃ２が親子関係禁止子機ＩＤ記録部２Ｈに親子関係禁止子機ＩＤとして設定されていないかどうかをチェックする。この例において、親機２−１の親子関係禁止子機ＩＤ記録部２Ｈには、親子関係禁止子機ＩＤとして子機ＩＤ＃Ｃ４が設定されているのみで、子機ＩＤ＃Ｃ２は設定されていなので、ステップＳ３０５のＮＯに応じて、ステップＳ３０６へ進む。
【００８０】
ステップＳ３０６において、親機２−１のＣＰＵ２Ａは、子機データ記憶部２Ｇに空エリアがあるか否かをチェックする。この場合、空エリアがあるので、ステップＳ３０６のＹＥＳに応じてステップＳ３０７へ進む。ステップＳ３０７において、親機２−１のＣＰＵ２Ａは、子機データ記憶部２Ｇの空エリアにステップＳ３０３で読み取った子機ＩＤ＃Ｃ２を記録し、自動設定済みとする。この例では、子機データ記憶エリアＡＲ２が空エリアとされているので、子機データ記憶エリアＡＲ２に子機ＩＤ＃Ｃ２を記録し、自動設定済みとする。
【００８１】
そして、この子機ＩＤ＃Ｃ２を記録した子機データ記憶エリアＡＲ２に、ステップＳ３０１で受信した計測データＤ２とステップＳ３０２で計測した計測データＤ２の受信時刻と通信品質を記録する（ステップＳ３０８、図１３参照）。これにより、親機２−１に、子機１−２との親子関係が自動的に設定されたことになる。
【００８２】
〔ケース６：親機２−１への子機１−３の自動設定〕
今、親機２−１への子機１−１の手動設定、親機２−２への子機１−２の自動設定、親機２−３への子機１−３の自動設定、親機２−１への子機１−２の自動設定が行われた状態で、子機１−３からの計測データＤ３が親機２−１において受信されたとする（図１４参照）。
【００８３】
この場合、親機２−１のＣＰＵ２Ａは、子機１−３からの計測データＤ３を受信すると（図１０：ステップＳ３０１のＹＥＳ）、その計測データＤ３の受信時刻と通信品質（電波強度）を計測する（ステップＳ３０２）。また、その計測データＤ３に付加されている子機ＩＤ＃Ｃ３を読み取り（ステップＳ３０３）、この読み取った子機ＩＤ＃Ｃ３が子機データ記憶部２Ｇに記録されているか否かをチェックする（ステップＳ３０４）。
【００８４】
この場合、子機データ記憶部２Ｇの子機データ記憶エリアＡＲ１には子機１−１の子機情報が記録されており、子機データ記憶エリアＡＲ２には子機１−２の子機情報が記録されている。したがって、親機２−１のＣＰＵ２Ａは、子機データ記憶部２Ｇに子機ＩＤ＃Ｃ３は記録されていないと判断し（ステップＳ３０４のＮＯ）、ステップＳ３０５へ進む。
【００８５】
ステップＳ３０５において、親機２−１のＣＰＵ２Ａは、子機ＩＤ＃Ｃ３が親子関係禁止子機ＩＤ記録部２Ｈに親子関係禁止子機ＩＤとして設定されていないかどうかをチェックする。この例において、親機２−１の親子関係禁止子機ＩＤ記録部２Ｈには、親子関係禁止子機ＩＤとして子機ＩＤ＃Ｃ４のみが設定され、子機ＩＤ＃Ｃ３は設定されていなので、ステップＳ３０５のＮＯに応じて、ステップＳ３０６へ進む。
【００８６】
ステップＳ３０６において、親機２−１のＣＰＵ２Ａは、子機データ記憶部２Ｇに空エリアがあるか否かをチェックする。この場合、空エリアがないので、ステップＳ３０６のＮＯに応じてステップＳ３０９へ進む。ステップＳ３０９において、親機２−１のＣＰＵ２Ａは、子機データ記憶部２Ｇの子機データ記憶エリアＡＲのうち、自動設定済みとされた子機データ記憶エリアＡＲのみを対象とし、そのエリアに記録されている通信品質の中に子機１−３からの計測データＤ３の受信時の通信品質よりも悪いものがあるか否かをチェックする。
【００８７】
ここで、自動設定済みとされた子機データ記憶エリアＡＲに記録されている通信品質の中に子機１−３からの計測データＤ３の受信時の通信品質よりも悪いものがなければ（ステップＳ３０９のＮＯ）、ステップＳ３１０へは進まず、ステップＳ３０１への処理へと戻る。これにより、子機１−３との親子関係の自動設定は行われず、子機１−３からの計測データが破棄される。
【００８８】
これに対し、自動設定済みとされた子機データ記憶エリアＡＲに記録されている通信品質の中に子機１−３からの計測データＤ３の受信時の通信品質よりも悪いものがあれば（ステップＳ３０９のＹＥＳ）、ステップＳ３１０へ進む。この例では、子機１−３からの計測データＤ３の受信時の通信品質が「４」、子機データ記憶部２Ｇの子機データ記憶エリアＡＲ２に記録されている通信品質が「３」であるものとする。
【００８９】
この場合、親機２−１のＣＰＵ２Ａは、自動設定済みとされた子機データ記憶エリアＡＲがＡＲ２の１つであり、この子機データ記憶エリアＡＲ２に記録されている通信品質が子機１−３からの計測データＤ３の受信時の通信品質よりも悪いと判断し（ステップＳ３０９のＹＥＳ）、この子機データ記憶エリアＡＲ２内の全ての情報を削除して空エリアとする（ステップＳ３１０、図１５（ａ）参照）。
【００９０】
そして、この空エリアとした子機データ記憶エリアＡＲ２に、ステップＳ３０３で読み取った子機ＩＤ＃Ｃ３を記録し、自動設定済みとする（ステップＳ３０７）。また、この子機ＩＤ＃Ｃ３を記録した子機データ記憶エリアＡＲ２に、ステップＳ３０１で受信した計測データＤ３とステップＳ３０２で計測した計測データＤ３の受信時刻と通信品質を記録する（ステップＳ３０８、図１５（ｂ）参照）。これにより、それまでの子機１−２との親子関係が自動的に解消され、通信品質がより高い子機１−３との親子関係が親機２−１に自動的に設定されるものとなる（図１６参照）。
【００９１】
この場合、親子関係が手動で設定されたことを示す情報として「手動設定済み」が記録されている子機データ記憶エリアＡＲ１については、自動設定の対象から除かれるので、自動設定によって削除されたり、変更されたりすることが禁止される。これにより、手動設定された親子関係が保護され、自動設定と手動設定との両立が図られる。
【００９２】
このようにして、本実施の形態では、手動設定された親子関係についてはそれを保護したうえ、ユーザの手を煩わせることなく、手動設定された分も含めて自己と親子関係を設定することが可能な子機の最大台数Ｎまで、子機との親子関係が親機２に自動的に設定されるものとなる。また、本実施の形態において、子機１は送信機能があればよく、子機１での親子関係の設定操作は不要であるので、子機１での電力消費を低減することもできる。
【００９３】
〔ケース７：親子関係の禁止〕
今、親機２−１への子機１−１の手動設定、親機２−２への子機１−２の自動設定、親機２−３への子機１−３の自動設定、親機２−１への子機１−３の自動設定が行われた状態で、子機１−４からの計測データＤ４が親機２−１において受信されたとする（図１７参照）。
【００９４】
この場合、親機２−１のＣＰＵ２Ａは、子機１−４からの計測データＤ４を受信すると（図１０：ステップＳ３０１のＹＥＳ）、その計測データＤ３の受信時刻と通信品質（電波強度）を計測する（ステップＳ３０２）。また、その計測データＤ４に付加されている子機ＩＤ＃Ｃ４を読み取り（ステップＳ３０３）、この読み取った子機ＩＤ＃Ｃ４が子機データ記憶部２Ｇに記録されているか否かをチェックする（ステップＳ３０４）。
【００９５】
この場合、子機データ記憶部２Ｇの子機データ記憶エリアＡＲ１には子機１−１の子機情報が記録されており、子機データ記憶エリアＡＲ２には子機１−３の子機情報が記録されている。したがって、親機２−１のＣＰＵ２Ａは、子機データ記憶部２Ｇに子機ＩＤ＃Ｃ４は記録されていないと判断し（ステップＳ３０４のＮＯ）、ステップＳ３０５へ進む。
【００９６】
ステップＳ３０５において、親機２−１のＣＰＵ２Ａは、子機ＩＤ＃Ｃ４が親子関係禁止子機ＩＤ記録部２Ｈに親子関係禁止子機ＩＤとして設定されていないかどうかをチェックする。この例において、親機２−１の親子関係禁止子機ＩＤ記録部２Ｈには、親子関係禁止子機ＩＤとして子機ＩＤ＃Ｃ４が設定されている。したがって、親機２−１のＣＰＵ２Ａは、ステップＳ３０６へは進まず、ステップＳ３０１の処理へと戻る。これにより、子機１−４との親子関係の自動設定は行われず、子機１−４からの計測データが破棄される。
【００９７】
〔ケース８：自動設定から手動設定への変更、手動設定の削除、親子関係禁止子機の追加・削除〕
今、親機２−１への子機１−１の手動設定、親機２−１への子機１−３の自動設定が行われている状態で（図１６参照）、親機２−１と子機１−３との親子関係を自動設定から手動設定に変更したいとする。また、親機２−１に設定されている親子関係禁止子機を追加・削除したいとする。
【００９８】
この場合、ユーザは手動親子関係設定器３を親機２−１に接続する（図１８参照）。そして、手動親子関係設定器３から接続先の親機２−１に対して、子機情報および親子関係禁止子機ＩＤの読出指令を送る（図７：ステップＳ１０１）。
【００９９】
親機２−１は、この手動親子関係設定器３からの子機情報および親子関係禁止子機ＩＤの読出指令を受けて、子機データ記憶部２Ｇに記録されている子機情報および親子関係禁止子機ＩＤ記憶部２Ｈに記憶されている親子関係禁止子機ＩＤを手動親子関係設定器３へ返送する。
【０１００】
この例において、子機データ記憶部２Ｇの子機データ記憶エリアＡＲ１には、子機１−１の子機情報（手動設定済みの情報、子機ＩＤ＃Ｃ１、計測データＤ１、通信品質、受信時刻）が記録されており、子機データ記憶エリアＡＲ２には、子機１−３の子機情報（自動設定済みの情報、子機ＩＤ＃Ｃ３、計測データＤ３、通信品質、受信時刻）が記録されている。また、親子関係禁止子機ＩＤ記憶部２Ｈには、親子関係禁止子機ＩＤとして子機ＩＤ＃Ｃ４が設定されている。
【０１０１】
手動親子関係設定器３のＣＰＵ３Ａは、親機２−１から子機情報および親子関係禁止子機ＩＤが送られてくると（ステップＳ１０２のＹＥＳ）、この親機２−１から送られてきた子機情報および親子関係禁止子機ＩＤをディスプレイ３Ｄに表示する（ステップＳ１０３）。
【０１０２】
この場合、子機情報として、子機データ記憶エリアＡＲ１に記録されている子機１−１の子機情報（手動設定済みの情報、子機ＩＤ＃Ｃ１、計測データＤ１、通信品質、受信時刻）と、子機データ記憶エリアＡＲ２に記録されている子機１−３の子機情報（自動設定済みの情報、子機ＩＤ＃Ｃ３、計測データＤ３、通信品質、受信時刻）が表示される。また、親子関係禁止子機ＩＤ記憶部２Ｈに設定されている親子関係禁止子機ＩＤ＃Ｃ４が表示される。
【０１０３】
ここで、ユーザは、親機２−１と子機１−３との親子関係を自動設定から手動設定に変更したい場合、ディスプレイ３Ｄに表示されている子機１−３の子機情報中、自動設定済みの情報を手動設定済みの情報に変更する（ステップＳ１０４）。すると、手動親子関係設定器３のＣＰＵ３Ａは、親機２−１から送られてきた子機１−３の子機情報（子機データ記憶エリアＡＲ２内の情報）を自動設定済みの情報から手動設定済みの情報に書き替える（ステップＳ１０７）。
【０１０４】
また、ユーザは、手動設定した親機２−１と子機１−１との親子関係を削除したい場合、ディスプレイ３Ｄに表示されている子機１−１の子機情報を全て削除する（ステップＳ１０４）。すると、手動親子関係設定器３のＣＰＵ３Ａは、親機２−１から送られたきた子機１−１の子機情報（子機データ記憶エリアＡＲ１内の情報）を全て削除する（ステップＳ１０６）。なお、これと同様にして、自動設定されている親機２−１と子機１−３との親子関係を削除することも可能である。
【０１０５】
また、ユーザは、親機２−１に親子関係禁止子機を追加したい場合、ディスプレイ３Ｄに表示されている親子関係禁止子機ＩＤ＃Ｃ４に対して、所望の子機ＩＤを親子関係禁止子機ＩＤとして追加する（ステップＳ１０４）。また、親機２−１から親子関係禁止子機を削除したい場合、ディスプレイ３Ｄに表示されている親子関係禁止子機ＩＤを選択して削除する（ステップＳ１０４）。すると、手動親子関係設定器３のＣＰＵ３Ａは、親機２−１から送られたきた親子関係禁止子機ＩＤの情報に対し、親子関係禁止子機ＩＤを追加したり、削除したりする（ステップＳ１０８）。
【０１０６】
手動親子関係設定器３のＣＰＵ３Ａは、ステップＳ１０４での手動設定が完了すると（ステップＳ１０９のＹＥＳ）、手動設定が完了された子機情報と親子関係禁止子機ＩＤを接続先の親機２−１へ送信する（ステップＳ１１０）。
【０１０７】
接続先の親機２−１のＣＰＵ２Ａは、手動親子関係設定器３からの子機情報および親子関係禁止子機ＩＤを受けて、子機情報を子機データ記憶部２Ｇに書き込み、親子関係禁止子機ＩＤを親子関係禁止子機ＩＤ記憶部２Ｈに書き込む。
【０１０８】
〔親子関係の自動解消〕
親機２のＣＰＵ２Ａは、定期的に、子機データ記憶部２Ｇの子機データ記憶エリアＡＲのそれぞれに記録されている計測データの受信時刻をチェックする（図１９：ステップＳ４０１）。ここで、現在までの経過時間が所定時間を超えている受信時刻があれば（ステップＳ４０２のＹＥＳ）、その受信時刻が記録されている子機データ記憶エリアＡＲ内の全ての情報を削除して空エリアとする（ステップＳ４０３）。
【０１０９】
例えば、子機１−１との親子関係が設定されている親機２−１において、子機１−１の子機情報が記録されている子機データ記憶エリアＡＲ１内の受信時刻からの現在までの経過時間が所定時間を超えていれば、この子機データ記憶エリアＡＲ１内の全ての情報を削除して空エリアとする。
【０１１０】
これにより、親子関係が設定された子機１−１と親機２−１との間で通信不能となった場合、その親子関係を自動的に解消し、通信不能となった子機１−１との親子関係が親機２−１に残ることがないようにすることができ、親子関係を設定可能な子機の台数の余裕が減少するという問題を解消し、新たな子機と親子関係を設定する機会を確保することができるようになる。
【０１１１】
例えば、特許文献１に示された技術において、このような問題をなくそうとすると、ユーザが親子関係を設定した親機子機間で通信不能な状態が生じているか否かを常時監視しなければならず、ユーザに大きな負担が強いられる。これに対し、本実施の形態では、通信不能となれば、その親子関係が自動的に解消されるので、ユーザは親子関係が設定された親機子機間での通信不能な状態を監視する必要がない。
【０１１２】
なお、上述した実施の形態では、計測データの受信時の電波強度を通信品質として計測するようにしたが、通信品質を示す情報は電波強度に限られるものではない。例えば、電波強度に代えて、エラーレートなどを通信品質として計測するようにしてもよい。
【０１１３】
また、上述した実施の形態では、子機データ記憶エリアＡＲ１，ＡＲ２に子機情報が記録されていた場合、その子機データ記憶エリアＡＲ１，ＡＲ２の１つを空エリアとして利用可能か否かを計測データの通信品質を示す情報に基づいて判断するようにしたが、計測データの送信元の子機の種類を示す情報に基づいて判断するようにしてもよい。
【０１１４】
例えば、送信元の子機の種類によって優先度を定め、優先度の高い子機からの計測データを受けた場合、それよりも優先度の低い子機の情報が記録されている子機データ記憶エリアを空エリアとし、この空アリアに優先度の高い子機の情報を記録するようにする。このようにすると、より重要な子機に対して、優先的に親子関係が自動設定されるようになる。
【０１１５】
また、計測データの通信品質や送信元の子機の種類で判断するのではなく、単純に後優先とするか前優先とするかの情報を親機に設定しておき、この後優先／前優先の種別で空エリアとして利用可能な子機データ記憶エリアがあるか否かを判断するようにしてもよい。
【０１１６】
また、上述した実施の形態において、子機からの計測データを受信した場合、その計測データの通信品質を予め定められている閾値と比較し、閾値に達していない場合には、その受信した計測データに付加されている子機ＩＤの読み取りを行わず、親子関係の設定の対象から除外するようにしてもよい。
【０１１７】
また、上述した実施の形態では、子機から送信されるデータを計測データとしたが、子機から送信されるデータは計測データに限られるものではない。すなわち、この無線通信システムで用いる子機は、温度センサや湿度センサなどの計測データを送信する無線センサに限られるものではなく、計測データ以外のデータを無線によって送信する送信機も子機として用いることができる。
【０１１８】
また、上述した実施の形態では、説明を簡単とするために、親機２における子機データ記憶エリアＡＲの数を２つとしたが、すなわち自己と親子関係を設定することが可能な子機の最大台数ＮをＮ＝２としたが、親機２における子機データ記憶エリアＡＲの数は２つに限られるものでないことは言うまでもない。また、親機２についても、３台に限られるものではなく、１台であってもよい。
【０１１９】
また、上述した実施の形態では、手動親子関係設定器３を親機２に直接有線で接続するようにしたが、ネットワークを介して接続するようにしてもよい。
【図面の簡単な説明】
【０１２０】
【図１】本発明に係る無線通信システムの一実施の形態の要部を示す図である。
【図２】この無線通信システムにおける子機の概略構成を示す図である。
【図３】この無線通信システムにおける親機の概略構成を示す図である。
【図４】この無線通信システムにおける手動親子関係設定器の概略構成を示す図である。
【図５】この無線通信システムにおける子機の要部の機能ブロック図である。
【図６】この無線通信システムにおける親機の要部の機能ブロック図である。
【図７】この無線通信システムにおける手動親子関係設定器のＣＰＵが実行する処理動作を示すフローチャートである。
【図８】この無線通信システムにおける子機のＣＰＵが実行する処理動作を示すフローチャートである。
【図９】親機２−１に子機１−１との親子関係が手動設定された状態を示す図である。
【図１０】この無線通信システムにおける親機のＣＰＵが実行する子機からの計測データ受信時の処理動作を示すフローチャートである。
【図１１】この無線通信システムにおける親機の子機データエリアに子機の情報が記録された状態を示す図である。
【図１２】親機２−１に子機１−２からの計測データが受信された時の状態を示す図である。
【図１３】親機２−１の子機データエリアＡＲ１，ＡＲ２に子機１−１，１−２の子機情報が記録された状態を示す図である。
【図１４】親機２−１に子機１−３からの計測データが受信された時の状態を示す図である。
【図１５】親機２−１の子機データエリアに子機１−２の子機情報を削除して子機１−３の子機情報が記録される状態を示す図である。
【図１６】親機２−１と子機１−２との親子関係が解消され子機１−３との親子関係が自動的に設定される状況を示す図である。
【図１７】親機２−１に子機１−４からの計測データが受信された時の状態を示す図である。
【図１８】手動親子関係設定器を用いての親機における子機との親子関係の自動設定から手動設定への変更、手動設定の削除、親子関係禁止子機の追加・削除を説明する図である。
【図１９】この無線通信システムにおける親機のＣＰＵが定期的に実行する親子関係の自動解消を行うための処理動作を示すフローチャートである。
【符号の説明】
【０１２１】
１（１−１〜１−４）…子機、１Ａ…ＣＰＵ、１Ｂ…ＲＯＭ、１Ｃ…センシング部、１Ｄ…通信制御部、１Ｅ…送信部、１Ｆ…子機ＩＤ記憶部、２（２−１〜２−３）…親機、２Ａ…ＣＰＵ、２Ｂ…ＲＯＭ、２Ｃ…通信制御部、２Ｄ…送信部、２Ｅ…受信部、２Ｆ…親機ＩＤ記憶部、２Ｇ…子機データ記憶部、２Ｈ…親子関係禁止子機ＩＤ記憶部、３…手動親子関係設定器、３Ａ…ＣＰＵ、３Ｂ…ＲＯＭ、３Ｃ…ＲＡＭ、３Ｄ…ディスプレイ、３Ｅ…キー入力部、３Ｆ〜３Ｈ…インタフェース、ＡＲ（ＡＲ１，ＡＲ２）…子機データ記憶エリア、１０Ａ…識別情報記憶部、１０Ｂ…データ送信部、２０Ａ…子機データ記憶部、２０Ｂ…データ受信部、２０Ｃ…識別情報読取部、２０Ｄ…親子関係記録制御部、２０Ｄ１…第１の親子関係自動記録制御部、２０Ｄ２…第２の親子関係自動記録制御部、２０Ｅ…計測データ記録部、２０Ｆ…親子関係解消部。
【図１】
2009246872.tif 000003
【図２】
2009246872.tif 000004
【図３】
2009246872.tif 000005
【図４】
2009246872.tif 000006
【図５】
2009246872.tif 000007
【図６】
2009246872.tif 000008
【図７】
2009246872.tif 000009
【図８】
2009246872.tif 000010
【図９】
2009246872.tif 000011
【図１０】
2009246872.tif 000012
【図１１】
2009246872.tif 000013
【図１２】
2009246872.tif 000014
【図１３】
2009246872.tif 000015
【図１４】
2009246872.tif 000016
【図１５】
2009246872.tif 000017
【図１６】
2009246872.tif 000018
【図１７】
2009246872.tif 000019
【図１８】
2009246872.tif 000020
【図１９】
2009246872.tif 000021